(57)【特許請求の範囲】
【請求項１】
紙幣を収納する収納部と、該収納部に収納された紙幣を一枚ずつ分離して繰り出す分離繰出部と、該分離繰出部で繰り出された紙幣を複数枚一括して出金可能な集積出金部とを有する紙幣処理装置であって、
前記集積出金部は、
前記収納部から前記分離繰出部で繰り出された紙幣を厚さ方向を横にした状態で下方に放出させる放出口と、
該放出口の横に設けられた出金口と、
該出金口の前記放出口とは反対側に設けられた壁部と、
前記放出口から放出された紙幣の下端部を下方で受け入れるとともに複数の紙幣を受け入れ可能な下方に凹状をなすポケット部を有し上方の前記出金口に向けて移動可能な集積ポケット部材と、
前記放出口の下方の一時貯留空間の前記壁部側に設けられた紙幣移動規制部材と、
前記放出口から放出されて前記集積ポケット部材の前記ポケット部で下端部が受けられて前記一時貯留空間に位置する紙幣を前記壁部側に押圧して前記紙幣移動規制部材を乗り越えさせる押し込み作動を行う押さえ部材と、
該押さえ部材を前記壁部側に付勢する付勢部材と、
駆動源で駆動されて前記出金口に向けて移動する作動部材と、
該作動部材に設けられ該作動部材が前記出金口とは反対側に移動すると前記押さえ部材に接触して該押さえ部材を前記付勢部材の付勢力に抗して前記壁部とは反対側に移動させるカム部とを有し、
前記作動部材は、前記出金口に向けて移動して前記カム部を前記押さえ部材から離間させると前記集積ポケット部材に当接して該集積ポケット部材を前記出金口に向けて移動させることになり、
前記駆動源および前記作動部材により、前記押さえ部材に前記押し込み作動を、前記放出口から放出される紙幣の一枚一枚に対して行わせることを特徴とする紙幣処理装置。
【請求項２】
前記押さえ部材は、位置固定の支持軸を中心に回動可能に設けられていることを特徴とする請求項１記載の紙幣処理装置。
【請求項３】
前記出金口には、該出金口を開閉可能なシャッタと、該シャッタの開作動に連動して前記出金口から前記集積ポケット部材側に斜めに突出するガイド部材とを有することを特徴とする請求項１または２記載の紙幣処理装置。
【発明の詳細な説明】
【技術分野】
【０００１】
本発明は、収納した紙幣を出金可能な紙幣処理装置に関する。
【背景技術】
【０００２】
紙幣を収納する収納部と、この収納部に収納された紙幣を一枚ずつ分離して繰り出す分離繰出部と、この分離繰出部で繰り出された紙幣を一括して出金させる集積出金部とを有する紙幣処理装置に関する技術として、例えば、水平に配置されたガイド板上に水平方向一側の放出口から紙幣を一枚ずつ放出して集積させ、必要枚数集積された時点でこのガイド板を上昇させて払出搬送ベルトの押出突起で水平方向逆側の出金口から押し出させるものがある（例えば特許文献１参照）。
【特許文献１】特開平８−１４７５３０号公報
【発明の開示】
【発明が解決しようとする課題】
【０００３】
上記技術では、ガイド板の昇降と払出搬送ベルトの回転とに別々の駆動源が必要であり、コストが増大してしまうという問題があった。また、一枚ずつ繰り出される紙幣を水平方向一側の放出口から水平なガイド板上に集積させた後、水平方向逆側の出金口から出金させるものであるため、水平方向に大型化してしまうという問題があった。
【０００４】
したがって、本発明は、複数の紙幣を一括して出金させる上で、コストを低減でき、水平方向に小型化可能な紙幣処理装置の提供を目的とする。
【課題を解決するための手段】
【０００５】
上記目的を達成するために、請求項１に係る発明は、紙幣（例えば実施形態の紙幣Ｓ）を収納する収納部（例えば実施形態の収納部２４Ｆ，２４Ｒ）と、該収納部に収納された紙幣を一枚ずつ分離して繰り出す分離繰出部（例えば実施形態の分離繰出部８０）と、該分離繰出部で繰り出された紙幣を複数枚一括して出金可能な集積出金部（例えば実施形態の集積出金部１４２）とを有する紙幣処理装置であって、前記集積出金部は、前記収納部から前記分離繰出部で繰り出された紙幣を厚さ方向を横にした状態で下方に放出させる放出口（例えば実施形態の放出口１４４）と、該放出口の横に設けられた出金口（例えば実施形態の出金口１４６）と、該出金口の前記放出口とは反対側に設けられた壁部（例えば実施形態の前壁部１４７）と、前記放出口から放出された紙幣の下端部を下方で受け入れるとともに複数の紙幣を受け入れ可能な下方に凹状をなすポケット部（例えば実施形態のポケット部１５９）を有し上方の前記出金口に向けて移動可能な集積ポケット部材（例えば実施形態の集積ポケット部材１５５）と、前記放出口の下方の一時貯留空間（例えば実施形態の一時貯留空間１７０）の前記壁部側に設けられた紙幣移動規制部材（例えば実施形態のシート部材１６９）と、前記放出口から放出されて前記集積ポケット部材の前記ポケット部で下端部が受けられて前記一時貯留空間に位置する紙幣を前記壁部側に押圧して前記紙幣移動規制部材を乗り越えさせる押し込み作動を行う押さえ部材（例えば実施形態の押さえ部材１６３）と、該押さえ部材を前記壁部側に付勢する付勢部材（例えば実施形態の引張バネ１７３）と、駆動源（例えば実施形態のリフトモータ１５３）で駆動されて前記出金口に向けて移動する作動部材（例えば実施形態の作動部材１４８）と、該作動部材に設けられ該作動部材が前記出金口とは反対側に移動すると前記押さえ部材に接触して該押さえ部材を前記付勢部材の付勢力に抗して前記壁部とは反対側に移動させるカム部（例えば実施形態のカム部１７６）とを有し、前記作動部材は、前記出金口に向けて移動して前記カム部を前記押さえ部材から離間させると前記集積ポケット部材に当接して該集積ポケット部材を前記出金口に向けて移動させることになり、前記駆動源および前記作動部材により、前記押さえ部材に前記押し込み作動を、前記放出口から放出される紙幣の一枚一枚に対して行わせることを特徴としている。
【０００６】
請求項２に係る発明は、請求項１に係る発明において、前記押さえ部材は、位置固定の支持軸（例えば実施形態の支持軸１６２）を中心に回動可能に設けられていることを特徴としている。
【０００７】
請求項３に係る発明は、請求項１または２に係る発明において、前記出金口には、該出金口を開閉可能なシャッタ（例えば実施形態のシャッタ１８４）と、該シャッタの開作動に連動して前記出金口から前記集積ポケット部材側に斜めに突出するガイド部材（例えば実施形態のガイド部材１９９）とを有することを特徴としている。
【発明の効果】
【０００８】
請求項１に係る発明によれば、収納部から分離繰出部で繰り出された紙幣が厚さ方向を横にした状態で放出口から集積出金部に放出されると、集積ポケット部材がこの放出された紙幣の下端部を下方で受け入れる。そして、駆動源が押さえ部材を動作させて集積ポケット部材に受けられた紙幣を出金口側に押圧する。以上を繰り返すことで複数枚の紙幣が集積ポケット部材に受け入れられ、しかも出金口側に寄せられた状態となる。この状態から、集積ポケット部材を駆動源が上方の出金口に向けて移動させると、集積ポケット部材に集積された紙幣が出金口から払出可能に突出する。ここで、集積ポケット部材と押さえ部材とを一つの駆動源で駆動するため、コストを低減できる。また、放出口から厚さ方向を横方向にして紙幣を放出させ、この紙幣の下端部を集積ポケット部材で受け入れ、これを上方の出金口に移動させるレイアウトであるため、水平方向に小型化可能となる。したがって、複数の紙幣を一括して出金させることができ、その上で、コスト低減および水平方向の小型化が図れる。
【０００９】
また、収納部から分離繰出部で繰り出された紙幣が厚さ方向を横にした状態で放出口から集積出金部に放出されると、集積ポケット部材がこの放出された紙幣の下端部を下方で受け入れる。そして、駆動源が作動部材を出金口に向けて移動させると、カム部が押さえ部材から離間して、押さえ部材が付勢部材の付勢力で集積ポケット部材に受けられた紙幣を出金口側に押圧する。次に、駆動源が作動部材を出金口とは反対側に移動させると、カム部が押さえ部材に接触して押さえ部材を付勢部材の付勢力に抗して移動させる。以上を繰り返すことで複数枚の紙幣が集積ポケット部材に受け入れられ、しかも出金口側に寄せられた状態となる。この状態から、作動部材を出金口に向けて移動させると、カム部が押さえ部材から離間して、押さえ部材が付勢部材の付勢力で集積ポケット部材に受けられた紙幣を出金口側に押圧するとともに、カム部の押さえ部材からの離間後、作動部材は、集積ポケット部材に当接してこの集積ポケット部材を出金口に向けて移動させて、集積ポケット部材に集積された紙幣を出金口から払出可能に突出させる。したがって、構成を簡素にでき、コストをさらに低減することができる。
【００１０】
請求項３に係る発明によれば、出金の際に出金口のシャッタを開作動させると、これに連動してガイド部材が出金口から集積ポケット部材側に斜めに突出して、集積ポケット部材に集積された紙幣の上部を出金口に案内する。したがって、集積ポケット部材に集積された紙幣を出金口から良好に突出させることができる。しかも、シャッタの開作動に連動してガイド部材を突出させることができるため、これらの駆動源を共用でき、コスト増を抑えることができる。
【発明を実施するための最良の形態】
【００１１】
本発明の一実施形態の紙幣処理装置を図面を参照して以下に説明する。
この紙幣処理装置は、例えば自動販売機や両替機の機体前面に設けられ、入金された紙幣を判別して受け入れ可能な紙幣を収納するとともに、収納した紙幣を釣銭用紙幣や両替用紙幣として出金させるものである。なお、以下の説明における装置前後方向とは紙幣処理装置における前後方向であり、装置左右方向とは紙幣処理装置における左右方向である。
【００１２】
紙幣処理装置１１は、図１に示すように、その前面１１ａ側の上部に、紙幣が挿入される入金口１２が設けられている。入金口１２は、紙幣の短辺長さに相当する横長の形状をなしており、紙幣が、その長辺を装置前後方向に沿わせかつ厚さ方向を上下にした姿勢で一枚ずつ挿入されるようになっている。
【００１３】
入金口１２の装置前後方向後側には入金口１２に挿入された紙幣を、その長辺が搬送方向に沿う姿勢で搬送する入金搬送路１５が設けられており、この入金搬送路１５は、装置前後方向において後ろ上がりに傾斜して延在し下側に湾曲するように折り返して前下がりに中間位置まで延在した後、鉛直下方に延出している。
【００１４】
入金搬送路１５には、紙幣を搬送するための搬送ローラ１６が適宜の間隔で複数配設されており、また、その入金口１２側に、紙幣の真偽、金種および正損を判別する判別部１７が設けられている。ここで、判別部１７で判別された紙幣Ｓが偽券である場合には、搬送ローラ１６が逆転してこれを入金口１２に戻すようになっている。
【００１５】
入金搬送路１５の末端位置には、装置前後方向の二方向に分岐した分岐搬送路１９Ｆ，１９Ｒが接続されており、一方の分岐搬送路１９Ｆは、装置前後方向において前下がりに、他方の分岐搬送路１９Ｒは後ろ下がりに傾斜している。そして、これら分岐搬送路１９Ｆ，１９Ｒの分岐位置には、入金搬送路１５から搬送されてきた紙幣を判別部１７の判別結果に基づいて分岐搬送路１９Ｆ，１９Ｒに選択的に振り分ける振分部２１が設けられている。
【００１６】
そして、分岐搬送路１９Ｆの末端位置は、受け入れた紙幣を一時貯留する一時貯留部２３Ｆに接続されており、分岐搬送路１９Ｒの末端位置は、受け入れた紙幣を一時貯留する一時貯留部２３Ｒに接続されている。図２および図３に示すこれら二つの一時貯留部２３Ｆ，２３Ｒは、高さ方向の位置および装置左右方向の位置を合わせて装置前後方向に並設されており、これら一時貯留部２３Ｆ，２３Ｒの相反側には紙幣Ｓを集積状態で収納する収納部２４Ｆ，２４Ｒが設けられている。つまり、一時貯留部２３Ｆの一時貯留部２３Ｒとは反対側つまり装置前後方向における前側に収納部２４Ｆが、一時貯留部２３Ｒの一時貯留部２３Ｆとは反対側つまり装置前後方向における後側に収納部２４Ｒがそれぞれ設けられている。
【００１７】
二つの一時貯留部２３Ｆ，２３Ｒの間に、これら一時貯留部２３Ｆ，２３Ｒにそれぞれ一時貯留された紙幣を一時貯留部２３Ｆ，２３Ｒ側に設けられたプッシャ２５Ｆ，２５Ｒを前進させることで各収納部２４Ｆ，２４Ｒに押し込む収納プッシャ機構２６が設けられている。つまり、収納プッシャ機構２６は、プッシャ２５Ｆを前進させることで一時貯留部２３Ｆの紙幣を収納部２４Ｆに押し込み、プッシャ２５Ｒを前進させることで一時貯留部２３Ｒの紙幣を収納部２４Ｒに押し込む。なお、上記した一時貯留部２３Ｆ，２３Ｒ、収納部２４Ｆ，２４Ｒおよび収納プッシャ機構２６は上下方向に開口する図２に示す四角筒状のケース２８内に設けられている。
【００１８】
各一時貯留部２３Ｆ，２３Ｒは、互いに略鏡面対称の構造となっており、一時貯留部２３Ｆは図１に示す分岐搬送路１９Ｆから搬送されてきた紙幣を一時収容する一時貯留空間３０Ｆを、一時貯留部２３Ｒは図１に示す分岐搬送路１９Ｒから搬送されてきた紙幣を一時収容する一時貯留空間３０Ｒをそれぞれ有している。
【００１９】
一時貯留空間３０Ｆは、図２に示すように、収納部２４Ｆと、後退位置にあるプッシャ２５Ｆと、ケース２８の装置左右方向両側の壁板部２８ａ，２８ｂとの間に形成されるものであり、一時貯留空間３０Ｒは、収納部２４Ｒと、後退位置にあるプッシャ２５Ｒと、ケース２８の壁板部２８ａ，２８ｂとの間に形成されるものである。一時貯留空間３０Ｆ，３０Ｒは、いずれも、上方から送り込まれた紙幣Ｓをその長辺方向を上下方向に沿わせその短辺を装置左右方向に沿わせた姿勢で一時収容可能となっている。このような一時貯留部２３Ｆ，２３Ｒは、一時貯留時の紙幣Ｓの厚さ方向を互いに同方向として該方向に並設されている。
【００２０】
装置左右方向両側の壁板部２８ａ，２８ｂには、一時貯留空間３０Ｆの位置に、図２および図３に示すように、収納部２４Ｆ側に寄せて、上下方向に延在する略角柱状の紙幣端部押さえ部材３１Ｆが互いの装置前後方向の位置および高さ位置を合わせて固定され、一時貯留空間３０Ｒの位置にも、収納部２４Ｒ側に寄せて上下方向に延在する略角柱状の紙幣端部押さえ部材３１Ｒが同様に固定されている。両紙幣端部押さえ部材３１Ｆの間の距離は紙幣Ｓの短辺長さよりも短くされており、両紙幣端部押さえ部材３１Ｒの間の距離も紙幣Ｓの短辺長さよりも短くされている。
【００２１】
また、壁板部２８ａ，２８ｂには、一時貯留空間３０Ｆの位置に、収納部２４Ｆとは反対側に寄せて装置左右方向に延在する上下一対の支持軸３３Ｆが回転可能に設けられており、各支持軸３３Ｆには、各壁板部２８ａ，２８ｂに近接して両側にプーリ３４Ｆがそれぞれ固定されている。上下各組みのプーリ３４Ｆ間には、それぞれベルト３５Ｆが掛けられている。
【００２２】
壁板部２８ａ，２８ｂには、一時貯留空間３０Ｒの位置にも、同様に、収納部２４Ｒとは反対側に寄せて装置左右方向に延在する上下一対の支持軸３３Ｒが回転可能に設けられており、各支持軸３３Ｒには、各壁板部２８ａ，２８ｂに近接して両側にプーリ３４Ｒがそれぞれ固定されていて、上下各組みのプーリ３４Ｒ間には、それぞれベルト３５Ｒが掛けられている。
【００２３】
図３に示すように、上側の支持軸３３Ｆの収納部２４Ｆ側には、ベルト３５の収納部２４Ｆ側の上端部に接触可能なローラ３６Ｆが壁板部２８ａ，２８ｂ間に設けられた支持軸３７Ｆで回転可能に支持されており、図１に示す分岐搬送部１９Ｆで搬送されてきた紙幣Ｓは、一時貯留部２３Ｆの上部にあるこれらローラ３６Ｆとベルト３５Ｆとで一時貯留空間３０Ｆ内に押し込まれる。なお、ベルト３５Ｆが図示せぬ電動の押込モータで駆動されると、ローラ３６Ｆは連れ回りする。
【００２４】
同様に、上側の支持軸３３Ｒの収納部２４Ｒ側には、ベルト３５Ｒの収納部２４Ｒ側の上端部に接触可能なローラ３６Ｒが壁板部２８ａ，２８ｂ間に設けられた支持軸３７Ｒで回転可能に支持されており、図１に示す分岐搬送部１９Ｒで搬送されてきた紙幣Ｓは、一時貯留部２３Ｒの上部にあるこれらローラ３６Ｒとベルト３５Ｒとで一時貯留空間３０Ｒ内に押し込まれる。なお、ベルト３５Ｆが図示せぬ電動の押込モータで駆動されると、ローラ３６Ｆは連れ回りする。
【００２５】
支持軸３７Ｆには、軸線方向における両側のローラ３６Ｆ（図３において一方のみ図示）の間の中央部となる位置にクリップ（挟持部材）４０Ｆが回動可能に支持されており、支持軸３７Ｒにも、軸線方向における両側のローラ３６Ｒ（図３において一方のみ図示）の間の中央部となる位置にクリップ（挟持部材）４０Ｒが回動可能に支持されている。クリップ４０Ｆはローラ３６Ｆよりも下方に、クリップ４０Ｒもローラ３６Ｒより下方に延出可能な長さを有しており、クリップ４０Ｆの収納プッシャ機構２６側つまり装置前後方向後側には固定受部４１Ｆが、クリップ４０Ｒの収納プッシャ機構２６側つまり装置前後方向前側には固定受部４１Ｒが、それぞれケースに図示略の支持部材を介して固定されている。
【００２６】
固定受部４１Ｆの収納部２４Ｆ側に回動可能に支持されたクリップ４０Ｆは、下部が固定受部４１Ｆに当接する方向つまり収納部２４Ｆから離間する方向に図示略のねじりバネで付勢されており、固定受部４１Ｒの収納部２４Ｒ側に回動可能に支持されたクリップ４０Ｒは、下部が固定受部４１Ｒに当接する方向つまり収納部２４Ｒから離間する方向に図示略のねじりバネで付勢されている。
【００２７】
クリップ４０Ｆは、固定受部４１Ｆに当接した状態で固定受部４１Ｆ側の面部４３Ｆが下側ほどこの固定受部４１Ｆに近接するように傾斜しており、固定受部４１Ｆのクリップ４０Ｆ側におけるクリップ当接位置よりも上側の面部４４Ｆも下側ほどこのクリップ４０Ｆに近接するように傾斜している。ここで、クリップ４０Ｆと固定受部４１Ｆとは、互いの面部４３Ｆ，４４Ｆで形成されるＶ字状の谷の底部が、一時貯留部２３Ｆの、プッシャ２５Ｆを後退させた後退状態にある収納プッシャ機構２６側に位置しており、その結果、一時貯留部２３Ｆの上部において、図１に示す分岐搬送路１９Ｆからローラ３６Ｆおよびベルト３５Ｆで押し込まれる紙幣Ｓを一時貯留部２３Ｆ内の後退状態にある収納プッシャ機構２６側に案内する。
【００２８】
ローラ３６Ｆおよびベルト３５Ｆで送り込まれた紙幣Ｓは、クリップ４０Ｆをねじりバネの付勢力に抗して紙幣Ｓの厚さ分回動させながらクリップ４０Ｆと固定受部４１Ｆとの間に面部４３Ｆ，４４Ｆで案内されて良好に入り込むことになり、ローラ３６Ｆから離れて搬送力を受けなくなることで、クリップ４０Ｆと固定受部４１Ｆとで挟持される。つまり、一時貯留部２３Ｆに設けられたクリップ４０Ｆと固定受部４１Ｆとが、一時貯留部２３Ｆの上部において、送り込まれる紙幣Ｓを後退状態にある収納プッシャ機構２６側に案内するとともに、送り込まれた紙幣Ｓの上端部を挟持する案内挟持部４５Ｆを構成している。なお、クリップ４０Ｆおよび固定受部４１Ｆは、装置左右方向における両側のベルト３５Ｆの間の中央部となる位置に設けられており、よって、クリップ４０Ｆおよび固定受部４１Ｆで構成される案内挟持部４５Ｆは、送り込まれた紙幣Ｓの短辺側の中央部を案内しかつ挟持する。
【００２９】
同様に、クリップ４０Ｒは、固定受部４１Ｒに当接した状態で固定受部４１Ｒ側の面部４３Ｒが下側ほどこの固定受部４１Ｒに近接するように傾斜しており、固定受部４１Ｒのクリップ４０Ｒ側におけるクリップ当接位置よりも上側の面部４４Ｒも下側ほどこのクリップ４０Ｒに近接するように傾斜している。この場合も、クリップ４０Ｒと固定受部４１Ｒとは、互いの面部４３Ｒ，４４Ｒで形成されるＶ字状の谷の底部が、一時貯留部２３Ｒの後退状態にある収納プッシャ機構２６側に位置しており、その結果、一時貯留部２３Ｒの上部において、図１に示す分岐搬送路１９Ｒからローラ３６Ｒおよびベルト３５Ｒで押し込まれる紙幣Ｓを一時貯留部２３Ｒ内の後退状態にある収納プッシャ機構２６側に案内する。
【００３０】
ローラ３６Ｒおよびベルト３５Ｒで送り込まれた紙幣Ｓは、クリップ４０Ｒと固定受部４１Ｒとの間に面部４３Ｒ，４４Ｒで案内されて入り込むことになり、ローラ３６Ｒから離れると、ねじりバネの付勢力でクリップ４０Ｒと固定受部４１Ｒとで挟持される。つまり、クリップ４０Ｒと固定受部４１Ｒとが、送り込まれる紙幣Ｓを後退状態にある収納プッシャ機構２６側に案内するとともに、送り込まれた紙幣Ｓの上端部を挟持する案内挟持部４５Ｒを構成している。なお、クリップ４０Ｒおよび固定受部４１Ｒも、装置左右方向における両側のベルト３５Ｒの間の中央部となる位置に設けられており、よって、クリップ４０Ｒおよび固定受部４１Ｒで構成される案内挟持部４５Ｒは、送り込まれた紙幣Ｓの短辺側の中央部を案内しかつ挟持する。
【００３１】
なお、クリップ４０Ｆ，４０Ｒを付勢する各ねじりバネは、紙幣Ｓの挿入および引き抜きが容易に可能であって紙幣Ｓを確実に挟持可能な比較的弱い付勢力でクリップ４０Ｆ，４０Ｒを回動させるように設定されている。
【００３２】
上記した二つの一時貯留部２３Ｆ，２３Ｒの間に設けられたこれらに共用の収納プッシャ機構２６は、一時貯留部２３Ｆ側に配設されるプッシャ２５Ｆおよび一時貯留部２３Ｒ側に配設されるプッシャ２５Ｒの二つのプッシャと、これらプッシャ２５Ｆ，２５Ｒの間に設けられるとともに図４に示す一つの電動のプッシャモータ（駆動源）４７で駆動されて、プッシャ２５Ｆを収納部２４Ｆの方向に、プッシャ２５Ｒを収納部２４Ｒの方向に移動させる複数具体的には二つの上下の移動機構４８，４９とを有している。なお、上下の移動機構４８，４９はプッシャ２５Ｆを移動させる時には協働してプッシャ２５Ｆを移動させ、プッシャ２５Ｒを移動させる時には協働してプッシャ２５Ｒを移動させる。
【００３３】
プッシャ２５Ｆは、上下に設けられた図示略のガイドで案内されることで装置前後方向にスライド可能に設けられており、図２に示すように、装置左右方向における両側のベルト３５Ｆの間を通過可能かつ同両側の紙幣端部押さえ部材３１Ｆの間を通過可能な大きさとされている。このプッシャ２５Ｆは、図３に示すように、一時貯留部２３Ｆに面するプッシャ板５０Ｆと、プッシャ板５０Ｆの裏側に上下に複数具体的には二つ設けられた同形状のカム５１Ｆ，５２Ｆとを有しており、カム５１Ｆにはプッシャ板５０Ｆとは反対にカム面５３Ｆが、カム５２Ｆにはプッシャ板５０Ｆとは反対にカム面５４Ｆが形成されている。
【００３４】
プッシャ板２５Ｆは、一時貯留部２３Ｆに収容された紙幣Ｓと平行をなすもので、装置前後方向に対し直交した姿勢で上下方向に延在しており、この姿勢を維持したまま装置前後方向にスライドする。
【００３５】
カム５１Ｆ，５２Ｆは、プッシャ板２５Ｆからの突出量がその上下両側よりも中央側が大きい山形状をなしている。つまり、図４に示すように、カム５１Ｆのカム面５３Ｆは、上下方向の中央部がプッシャ板５０Ｆからの高さが最も高い頂面部５５Ｆとされ、頂面部５５Ｆの上下両側は同角度で高さを徐々に低くするように傾斜する傾斜面部５６Ｆ，５７Ｆとされている。同様に、カム５２Ｆのカム面５４Ｆは、上下方向の中央部がプッシャ板５０Ｆからの高さが最も高い頂面部５８Ｆとされ、頂面部５８Ｆの上下両側は同角度で高さを徐々に低くするように傾斜する傾斜面部５９Ｆ，６０Ｆとされている。
【００３６】
プッシャ２５Ｒも、同様に、装置前後方向にスライド可能であって、図２に示すように、装置左右方向における両側のベルト３５Ｒの間を通過可能かつ同両側の紙幣端部押さえ部材３１Ｒの間を通過可能な大きさとされていて、図３に示すように、一時貯留部２３Ｒに面するプッシャ板５０Ｒと、プッシャ板５０Ｒの裏側に上下に複数具体的には二つ設けられた同形状のカム５１Ｒ，５２Ｒとを有しており、一時貯留部２３Ｒに収容された紙幣Ｓと平行をなすとともに、この姿勢を維持したまま装置前後方向にスライドする。
【００３７】
図４に示すように、カム５１Ｒのカム面５３Ｒも、上下方向の中央部がプッシャ板５０Ｒからの高さが最も高い頂面部５５Ｒとされ、その上下両側は同角度で傾斜する傾斜面部５６Ｒ，５７Ｒとされている。同様に、カム５２Ｒのカム面５４Ｒも、上下方向の中央部がプッシャ板５０Ｒからの高さが最も高い頂面部５８Ｒとされ、その上下両側は同角度で傾斜する傾斜面部５９Ｒ，６０Ｒとされている。
【００３８】
上側の移動機構４８は、上側で高さを合わせた装置前後方向の二カ所のカム５１Ｆ，５１Ｒの頂面部５５Ｆ，５５Ｒの中央同士を結んだ線上に回転中心が配置される装置左右方向に沿う回動軸６１を有しており、下側の移動機構４９は、下側で高さを合わせた装置前後方向の二カ所のカム５２Ｆ，５２Ｒの頂面部５８Ｆ，５８Ｒの中央同士を結んだ線上に回転中心が配置される装置左右方向に沿う、回動軸６１と同径の回動軸６２を有している。なお、プッシャ２５Ｆ，２５Ｒには、これらを相互近接側に付勢することで上側のカム５１Ｆ，５１Ｒの頂面部５５Ｆ，５５Ｒを回動軸６１に当接させるとともに下側のカム５２Ｆ，５２Ｒの頂面部５８Ｆ，５８Ｒを回動軸６２に当接させる複数具体的には上下二つの引張バネ６３が介装されている。
【００３９】
移動機構４８は、回動軸６１にその半径方向に延出するように固定されたアーム６４と、アーム６４の先端側に装置左右方向に沿う軸線を中心に回転可能に支持されたカムローラ（旋回部）６５と、回動軸６１に固定されたギア６６とを有しており、移動機構４９も、回動軸６２にその半径方向に延出するように固定された、アーム６４と同形状のアーム６７と、アーム６７の先端側に装置左右方向に沿う軸線を中心に回転可能に支持された、カムローラ６５と同径のカムローラ（旋回部）６８と、回動軸６２に固定されたギア６９とを有している。ここで、ギア６６，６９は同歯数で互いに噛み合っており、アーム６４，６６は、例えば同一直線上で相反方向に延出することが可能とされている。
【００４０】
また、移動機構４８，４９は、ギア６６に、駆動軸に固定されたギア７２を噛み合わせる一つのプッシャモータ４７を有している。よって、このプッシャモータ４７が駆動されると、ギア７２を介してギア６６とギア６９とが互いに逆回りに回転しアーム６４とアーム６７とが同期して互いに逆回りに回転する。すると、アーム６４，６７の先端側に設けられたカムローラ６５，６８が同一円上を互いに逆回りに同期して旋回する。
【００４１】
ここで、移動機構４８，４９は、図４に示すように、アーム６４，６７が同一直線上に並んで相反方向に延出した待機状態ではカムローラ６５，６８をいずれのカム５１Ｆ，５１Ｒ，５２Ｆ，５２Ｒにも接触させておらず、両プッシャ２５Ｆ，２５Ｒは、引張バネ６３の付勢力でカム５１Ｆ，５１Ｒの頂面部５５Ｆ，５５Ｒを回動軸６１に当接させ、カム５２Ｆ，５２Ｒの頂面部５８Ｆ，５８Ｒを回動軸６２に当接させている。
【００４２】
この状態からアーム６４，６７が装置前後方向前側に１８０度旋回するようにプッシャモータ４７を駆動すると、図５に示すように、上側のアーム６４のカムローラ６５が装置前後方向前側のプッシャ２５Ｆの上側のカム５１Ｆの上側の傾斜面部５６Ｆに当接してこの傾斜面部５６Ｆに沿って頂面部５５Ｆ側に転動して、図６に示すように、頂面部５５Ｆに乗り上げることになり、これと同時に、図５に示すように、下側のアーム６７のカムローラ６８がプッシャ２５Ｆの下側のカム５２Ｆの下側の傾斜面部６０Ｆに当接してこの傾斜面部６０Ｆに沿って頂面部５８Ｆ側に転動して、図６に示すように、頂面部５８Ｆに乗り上げることになって、装置前後方向前側のプッシャ２５Ｆを装置前後方向前側に押圧することになる。これにより、装置前後方向前側の一時貯留部２３Ｆ用のプッシャ２５Ｆが一時貯留部２３Ｆの方向に前進することになる。なお、図６に示すように、アーム６４，６７が真横に向いた時、つまりカムローラ６５，６８が最もプッシャ２５Ｆ側に位置した時に、カムローラ６５はカム５１Ｆの最も高さの高い頂面部５５Ｆに、カムローラ６８はカム５２Ｆの最も高さの高い頂面部５８Ｆにそれぞれ乗り上げることになる。
【００４３】
このようにして、装置前後方向前側のプッシャ２５Ｆが装置前後方向前側の一時貯留部２３Ｆの方向に前進すると、この一時貯留部２３Ｆの図３に示す案内挟持部４５Ｆで挟持された紙幣Ｓつまり一時貯留された紙幣Ｓを厚さ方向に押圧することになる。
【００４４】
また、上記に続いて、上側のアーム６４のカムローラ６５がプッシャ２５Ｆの上側のカム５１Ｆの頂面部５５Ｆから下側の傾斜面部５７Ｆに降りこの傾斜面部５７Ｆに沿って転動することになり、これと同時に下側のアーム６７のカムローラ６８がプッシャ２５Ｆの下側のカム５２Ｆの頂面部５８Ｆから上側の傾斜面部５９Ｆに降りこの傾斜面部５９Ｆに沿って転動することになって、プッシャ２５Ｆを引張バネ６３の付勢力で後退させる。そして、図７に示すように、アーム６４，６７が同一直線上に並んで相互近接方向に延出した状態となると、プッシャモータ４７を停止させる。このとき、カムローラ６５，６８はいずれのカム５１Ｆ，５１Ｒ，５２Ｆ，５２Ｒにも接触しない、もう一つの待機状態となる。
【００４５】
なお、移動機構４８，４９は、アーム６４，６７が同一直線上に並んで相互近接方向に延出した状態から、上記とは逆にプッシャモータ４７を駆動することで、アーム６４，６７を装置前後方向前側に１８０度回転させた後に、同一直線上に並んで相反方向に延出する状態で停止させることによっても、装置前後方向前側のプッシャ２５Ｆを一時貯留部２３Ｆの方向に前進させた後に後退させることになる。
【００４６】
また、移動機構４８，４９は、例えば、アーム６４，６７が同一直線上に並んで相反方向に延出した待機状態から、アーム６４，６７が装置前後方向後側に１８０度旋回するようにプッシャモータ４７を駆動すると、上側のアーム６４のカムローラ６５が装置前後方向後側のプッシャ２５Ｒの上側のカム５１Ｒの上側の傾斜面部５６Ｒに当接して傾斜面部５６Ｒに沿って頂面部５５Ｒ側に転動して頂面部５５Ｒに乗り上げることになり、これと同時に下側のアーム６７のカムローラ６８がプッシャ２５Ｒの下側のカム５２の下側の傾斜面部６０Ｒに当接して傾斜面部６０Ｒに沿って頂面部５８Ｒ側に転動して頂面部５８Ｒに乗り上げることになって、プッシャ２５Ｒを装置前後方向後側に押圧することになる。これにより、装置前後方向後側の一時貯留部２３Ｒ用のプッシャ２５Ｒが一時貯留部２３Ｒの方向に前進することになる。なお、この場合も、アーム６４，６７が真横に向いた時、つまりカムローラ６５，６８が最もプッシャ２５Ｒ側に位置した時にカムローラ６５はカム５１Ｒの最も高さの高い頂面部５５Ｒに、カムローラ６８はカム５２Ｒの最も高さの高い頂面部５８Ｒに乗り上げることになる。
【００４７】
このようにして、装置前後方向後側のプッシャ２５Ｒが装置前後方向後側の一時貯留部２３Ｒの方向に前進すると、この一時貯留部２３Ｒの図３に示す案内挟持部４５Ｒで挟持された紙幣Ｓつまり一時貯留された紙幣Ｓを厚さ方向に押圧することになる。
【００４８】
また、上記に続いて、上側のアーム６４のカムローラ６５がプッシャ２５Ｒの上側のカム５１Ｒの頂面部５５Ｒから下側の傾斜面部５７Ｒに降りこの傾斜面部５７Ｒに沿って転動することになり、これと同時に下側のアーム６７のカムローラ６８がプッシャ２５Ｒの下側のカム５２Ｒの頂面部５８Ｒから上側の傾斜面部５９Ｒに降りこの傾斜面部５９Ｒに沿って転動することになって、プッシャ２５Ｒを引張バネ６３の付勢力で後退させる。そして、アーム６４，６７が同一直線上に並んで相互近接方向に延出した状態となると、プッシャモータ４７を停止させる。
【００４９】
なお、プッシャ２５Ｒの場合も、移動機構４８，４９は、アーム６４，６７が同一直線上に並んで相互近接方向に延出した待機状態から、上記とは逆にプッシャモータ４７を駆動することで、アーム６４，６７を装置前後方向後側に１８０度旋回するように回転させた後に、同一直線上に並んで相反方向に延出する状態で停止させることによっても、装置前後方向後側のプッシャ２５Ｒを一時貯留部２３Ｒの方向に前進させた後に後退させることになる。
【００５０】
以上により、プッシャ２５Ｆは、その前進側への移動時において一方向に回転するカムローラ６５で押圧されるカム面５３Ｆの傾斜面部５６Ｆが、カムローラ６５への当接前部（頂面部５５Ｆとは反対側）に比して当接後部（頂面部５５Ｆ側）が、プッシャ２５Ｆの移動方向におけるプッシャ板５０Ｆからの高さを高くするように傾斜しており、また、その前進側への移動時において逆方向に回転するカムローラ６５で押圧されるカム面５３Ｆの傾斜面部５７Ｆが、カムローラ６５への当接前部（頂面部５５Ｆとは反対側）に比して当接後部（頂面部５５Ｆ側）が、プッシャ２５Ｆの移動方向におけるプッシャ板５０Ｆからの高さを高くするように傾斜している。同様に、プッシャ２５Ｆは、その前進側への移動時においてカムローラ６８で押圧されるカム面５４Ｆの傾斜面部５９Ｆ，６０Ｆが、カムローラ６８への当接前部（頂面部５８Ｆとは反対側）に比して当接後部（頂面部５８Ｆ側）が、プッシャ２５Ｆの移動方向におけるプッシャ板５０Ｆからの高さを高くするように傾斜している。
【００５１】
同様に、プッシャ２５Ｒも、その前進側への移動時においてカムローラ６５で押圧されるカム面５３Ｒの傾斜面部５６Ｒ，５７Ｒが、カムローラ６５への当接前部（頂面部５５Ｒとは反対側）に比して当接後部（頂面部５５Ｒ側）が、プッシャ２５Ｒの移動方向におけるプッシャ板５０Ｒからの高さを高くするように傾斜しており、また、その前進側への移動時において、カムローラ６８で押圧されるカム面５４Ｒの傾斜面部５９Ｒ，６０Ｒが、カムローラ６８への当接前部（頂面部５７Ｒとは反対側）に比して当接後部（頂面部５７Ｒ側）が、プッシャ２５Ｒの移動方向におけるプッシャ板５０Ｒからの高さを高くするように傾斜している。
【００５２】
また、カム面５３Ｆは、カムローラ６５が最もプッシャ２５Ｆ側に位置するときにプッシャ板５０Ｆからの高さが最も高い頂面部５５Ｆでカムローラ６５に当接し、カム面５４Ｆも、カムローラ６５が最もプッシャ２５Ｆ側に位置するときにプッシャ板５０Ｆからの高さが最も高い頂面部５８Ｆでカムローラ６８に当接する。カム面５３Ｒも、カムローラ６５が最もプッシャ２５Ｒ側に位置するときにプッシャ板５０Ｒからの高さが最も高い頂面部５５Ｒでカムローラ６５に当接し、カム面５４Ｒも、カムローラ６８が最もプッシャ２５Ｒ側に位置するときにプッシャ板５０Ｒからの高さが最も高い頂面部５８Ｒでカムローラ６８に当接する。なお、いずれのプッシャ２５Ｆ，２５Ｒを移動させる場合も、そのときのアーム６４，６７の待機位置つまり相反側にあるか相互近接側にあるかに基づいてプッシャモータ４７の正逆回転を制御する。
【００５３】
図２および図３に示すように、収納部２４Ｆは、対応する一時貯留部２３Ｆに設けられた紙幣端部押さえ部材３１Ｆとの間で紙幣Ｓを集積状態で挟持する受板７５Ｆを有しており、受板７５Ｆは、プッシャ板５０Ｆと平行をなすもので、装置前後方向に対し直交した姿勢で上下方向に延在しており、この姿勢を維持したまま装置前後方向にスライドする。受板７５Ｆの一時貯留部２３Ｆに対し反対側には、ケース２８の対向する壁板部２８ｃとの間に、上下二つの圧縮バネ７６Ｆが設けられている。これらの圧縮バネ７６Ｆで受板７５Ｆは、常時一時貯留部２３Ｆ側に押圧され、収納紙幣Ｓがない状態では紙幣端部押さえ部材３１Ｆに装置左右方向の両端部で当接し、また収納紙幣Ｓがある状態では紙幣端部押さえ部材３１Ｆに収納紙幣Ｓの装置左右方向の両端部を当接させることで収納紙幣Ｓを紙幣端部押さえ部材３１Ｆとで挟持する。
【００５４】
同様に、収納部２４Ｒは、一時貯留部２３Ｒの紙幣端部押さえ部材３１Ｒとの間で紙幣Ｓを挟持する受板７５Ｒを有しており、受板７５Ｒは、プッシャ板５０Ｒと平行をなし、この姿勢を維持したまま装置前後方向にスライドする。受板７５Ｒの一時貯留部２３Ｒに対し反対側には、ケース２８の対向する壁板部２８ｄとの間に、上下二つの圧縮バネ７６Ｒが設けられており、これらの圧縮バネ７６Ｒで受板７５Ｒは、常時一時貯留部２３Ｒ側に押圧され、収納紙幣Ｓがない状態では紙幣端部押さえ部材３１Ｒに当接し、また収納紙幣Ｓがある状態では紙幣端部押さえ部材３１Ｒに収納紙幣Ｓの装置左右方向の両端部を当接させることで収納紙幣Ｓを紙幣端部押さえ部材３１Ｒとで挟持する。
【００５５】
そして、図１に示す分岐搬送路１９Ｆから装置前後方向前側の一時貯留部２３Ｆに紙幣Ｓが搬送されてくると、この紙幣Ｓは、図３に示す一時貯留部２３Ｆにおいて、ローラ３６Ｆとベルト３５Ｆとでクリップ４０Ｆと固定受部４１Ｆとの間に押し込まれ、ローラ３６Ｆから離れると、クリップ４０Ｆと固定受部４１Ｆとで挟持され、一時貯留空間３０Ｆに吊り下げられた状態となる。なお、ローラ３６Ｆおよびベルト３５Ｆによる紙幣Ｓの押込力の発生位置がクリップ４０Ｆおよび固定受部４１Ｆの直前となっているため、ローラ３６Ｆおよびベルト３５Ｆによって紙幣Ｓをその上端部まで確実にクリップ４０Ｆおよび固定受部４１Ｆに押し込むことができる。
【００５６】
この状態で収納プッシャ機構２６の移動機構４８，４９が装置前後方向前側のプッシャ２５Ｆを前進させると、このプッシャ２５Ｆが一時貯留紙幣Ｓに当接しこれを押圧方向前方にある装置前後方向前側の収納部２４Ｆに向けて押圧する。すると、このプッシャ２５Ｆは、一時貯留紙幣Ｓを、一時貯留空間３０Ｆに設けられた両紙幣端部押さえ部材３１Ｆを超えて、これら紙幣端部押さえ部材３１Ｆに当接する収納部２４Ｆの受板７５Ｆ、またはこの受板７５Ｆと紙幣端部押さえ部材３１Ｆとで挟持された収納紙幣Ｓに当接させ、これらを一体に、圧縮バネ７６Ｆの付勢力に抗して後退させながら、一時貯留紙幣Ｓを紙幣端部押さえ部材３１Ｆを超える位置まで装置前後方向前側に移動させる。このようにして、一時貯留紙幣Ｓが装置前後方向前側の収納部２４Ｆに押し込まれる。
【００５７】
ここで、一時貯留紙幣Ｓは、受板７５Ｆまたは収納紙幣Ｓに当接すると受板７５Ｆまたは収納紙幣Ｓとプッシャ２５Ｆとで挟持されることになり、この状態で移動すると、クリップ４０Ｆと固定受部４１Ｆとから引き抜かれて全体としてクリップ４０Ｆよりも装置前後方向前側の収納部２４Ｆ側に移動させられる。なお、一時貯留紙幣Ｓは上端が撓みながらあるいはクリップ４０Ｆを回動させながら、クリップ４０Ｆと固定受部４１Ｆとから引き抜かれてクリップ４０Ｆを超えて収納部２４Ｆ側に位置することになる。
【００５８】
続いて、プッシャ２５Ｆが後退すると、一時貯留紙幣Ｓが圧縮バネ７６Ｆの付勢力によって受板７５Ｆまたは収納紙幣Ｓとともに前進し、受板７５Ｆまたは収納紙幣Ｓと一時貯留部２３Ｆの両紙幣端部押さえ部材３１Ｆとで挟持され収納部２４Ｆに収納されて収納紙幣Ｓとなる。なお、後退するプッシャ２５Ｆが離れると、状態によっては最もプッシャ２５Ｆ側の収納紙幣Ｓもプッシャ２５Ｆ側に突出することがあるが、その上端部はクリップ４０Ｆに当接してそれ以上のプッシャ２５Ｆ側への移動が規制される。これにより、図８および図９に示すように、収納紙幣Ｓ１が波打つ状態であっても一時貯留空間３０Ｆのクリップ４０Ｆよりも収納プッシャ機構２６側へ戻ることはなく、クリップ４０Ｆと固定台部４１Ｆとで案内される次の一時貯留紙幣Ｓ２に接触することもない。
【００５９】
以上のような紙幣Ｓの一時貯留部２３Ｆへの一時貯留および一時貯留紙幣Ｓの収納部２４Ｆへの収納を一枚ずつ行うことで装置前後方向に紙幣Ｓを順次集積させて収納することになる。このとき、一時貯留紙幣Ｓは、常にクリップ４０Ｆと固定受部４１Ｆとで同位置に吊り下げられた状態となり、しかも収納部２４Ｆへの収納時に当接する受板７５Ｆまたは収納紙幣Ｓの位置が一定していることから、クリップ４０Ｆおよび固定受部４１Ｆから引き抜かれて収納部２４Ｆに収納される際に、上端部の位置がすでに収納された紙幣と揃えられた状態で収納されることになる。
【００６０】
同様に、図１に示す分岐搬送路１９Ｒから装置前後方向後側の一時貯留部２３Ｒに紙幣Ｓが搬送されてくると、この紙幣Ｓは、図３に示す一時貯留部２３Ｒにおいて、ローラ３６Ｒとベルト３５Ｒとでクリップ４０Ｒと固定受部４１Ｒとの間に押し込まれ、ローラ３６Ｒから離れると、クリップ４０Ｒと固定受部４１Ｒとで挟持されて、一時貯留空間３０Ｒに吊り下げられた状態となる。
【００６１】
この状態で収納プッシャ機構２６の移動機構４８，４９が装置前後方向後側のプッシャ２５Ｒを前進させると、このプッシャ２５Ｒが一時貯留紙幣Ｓに当接しこれを押圧方向前方にある装置前後方向後側の収納部２４Ｒに向けて押圧する。すると、このプッシャ２５Ｒは、一時貯留紙幣Ｓを、両紙幣端部押さえ部材３１Ｒに当接する収納部２４Ｒの受板７５Ｒ、またはこの受板７５Ｒと紙幣端部押さえ部材３１Ｒとで挟持された収納紙幣Ｓに当接させ、これらを一体に、圧縮バネ７６Ｒの付勢力に抗して後退させながら、一時貯留紙幣Ｓを紙幣端部押さえ部材３１Ｒを超える位置まで移動させる。このようにして、一時貯留紙幣Ｓが収納部２４Ｒに押し込まれる。このときも、一時貯留紙幣Ｓは、受板７５Ｒまたは収納紙幣Ｓに当接した状態で移動する際に、クリップ４０Ｒと固定受部４１Ｒとから引き抜かれて全体としてクリップ４０Ｒよりも収納部２４Ｒ側に移動させられる。続いて、プッシャ２５Ｒが後退すると、一時貯留紙幣Ｓが圧縮バネ７６Ｒの付勢力によって受板７５Ｒまたは収納紙幣Ｓと両紙幣端部押さえ部材３１Ｒとで挟持され収納部２４Ｒに収納されて収納紙幣となる。
【００６２】
以上により、紙幣を収納する二つの収納部２４Ｆ，２４Ｒは、収納時の紙幣Ｓの集積方向を互いに同じ装置前後方向としており、この方向に並設されている。なお、二つの収納部２４Ｆ，２４Ｒのうちの一方である例えば収納部２４Ｒに、紙幣処理装置１１内に受け入れた紙幣Ｓのうち釣銭あるいは両替銭として顧客に対する出金用の紙幣Ｓ、具体的には汚損のない千円券紙幣のみを収納し、他方である例えば収納部２４Ｆには紙幣処理装置１１内に受け入れた紙幣Ｓのうちそれ以外の紙幣Ｓ、具体的には万円券紙幣、五千円紙幣、二千円紙幣および汚損のある出金に適さない千円券紙幣を金種混合で収納する。
【００６３】
次に、収納部２４Ｆ，２４Ｒの両方から選択的に紙幣を繰り出す分離繰出部８０について説明する。
【００６４】
図１に示すように、分離繰出部８０は、両収納部２４Ｆ，２４Ｒの間であって収納プッシャ機構２６の下側に設けられている。この分離繰出部８０は、一時貯留空間３０Ｆの下方位置に設けられた装置前後方向前側の繰出機構部８１Ｆと、一時貯留空間３０Ｒの下方位置に設けられた装置前後方向後側の繰出機構部８１Ｒとを有しており、繰出機構部８１Ｆと繰出機構部８１Ｒとは略鏡面対称となっている。
【００６５】
繰出機構部８１Ｆは、図１０に示すように、軸線を装置左右方向に沿わせて設けられた回動軸８３Ｆと、この回動軸８３Ｆに固定された搬送ローラ（第１の搬送ローラ）８４Ｆと、回動軸８３Ｆに固定されたギア８５Ｆ，８６Ｆと、回動軸８３Ｆに固定されたプーリ８７Ｆと、搬送ローラ８４Ｆの装置前後方向前側に平行に配置されてこの搬送ローラ８４Ｆに連れ回りする引抜ローラ８８Ｆとを有している。
【００６６】
また、繰出機構部８１Ｆには、搬送ローラ８４Ｆと引抜ローラ８８Ｆとの接触位置の上方に接触位置を配して繰出ローラ（第１の繰出ローラ）９１Ｆおよびその装置前後方向前側の分離ローラ９２Ｆが軸線を装置左右方向に沿わせて設けられている。ここで、繰出ローラ９１Ｆおよび分離ローラ９２Ｆの接触位置は収納部２４Ｆの最前面の紙幣Ｓの下方となっている。なお、分離ローラ９２Ｆは図示略のワンウェイクラッチによって繰出ローラ９１Ｆ側を下方に移動させる方向の回転が規制され、これとは逆方向の回転のみ許容されている。
【００６７】
繰出機構部８１Ｒも、軸線を装置左右方向に沿わせて設けられた回動軸８３Ｒと、この回動軸８３Ｒに固定された搬送ローラ（第２の搬送ローラ）８４Ｒと、回動軸８３Ｒに固定されたギア８５Ｒ，８６Ｒと、回動軸８３Ｒに固定されたプーリ８７Ｒと、搬送ローラ８４Ｒの装置前後方向後側に平行に配置されてこの搬送ローラ８４Ｒに連れ回りする引抜ローラ８８Ｒとを有している。
【００６８】
また、繰出機構部８１Ｒには、搬送ローラ８４Ｒと引抜ローラ８８Ｒとの接触位置の上方に接触位置を配して繰出ローラ（第２の繰出ローラ）９１Ｒおよびその装置前後方向後側の分離ローラ９２Ｒが軸線を装置左右方向に沿わせて設けられている。ここで、繰出ローラ９１Ｒおよび分離ローラ９２Ｒの接触位置は収納部２４Ｒの最前面の紙幣Ｓの下方となっている。なお、分離ローラ９２Ｒは図示略のワンウェイクラッチによって繰出ローラ９１Ｒ側を下方に移動させる方向の回転が規制され、これとは逆方向の回転のみ許容されている。
【００６９】
分離繰出部８０は、回動軸８３Ｆに一端側が回動可能に支持されるとともに上方に延出する支持アーム９５Ｆと、この支持アーム９５Ｆの他端側つまり上端側に回動軸８３Ｆと平行に設けられた回動軸９６Ｆと、この回動軸９６Ｆに固定される蹴出ローラ（第１の蹴出ローラ）９７Ｆおよびプーリ９８Ｆとを有している。そして、プーリ９８Ｆには、上記した回動軸８３Ｆのプーリ８７Ｆとの間にベルト９９Ｆが掛けられており、よって、常に蹴出ローラ９７Ｆは搬送ローラ８４Ｆと同期して同方向に回転する。
【００７０】
支持アーム９５Ｆには、回動軸８３Ｆよりも蹴出ローラ９７Ｆ側に回動軸８３Ｆと平行な支持軸１０１Ｆが装置前後方向の後部に偏って設けられており、この支持軸１０１Ｆには回動軸８３Ｆに固定されたギア８５Ｆに噛み合うギア１０２Ｆと圧接ローラ（駆動伝達部材）１０３Ｆとが固定されている。よって、圧接ローラ１０３Ｆは常に蹴出ローラ９７Ｆおよび搬送ローラ８４Ｆと逆方向に回転する。さらに、支持アーム９５Ｆには、装置前後方向の後部の支持軸１０１Ｆとは反対側、すなわち、蹴出ローラ９７Ｆ側に寄った位置に、支持軸１０１Ｆと平行にリンク軸１０４Ｆが取り付けられている。
【００７１】
分離繰出部８０は、同様に、回動軸８３Ｒに一端側が回動可能に支持されるとともに上方に延出する支持アーム９５Ｒと、この支持アーム９５Ｒの他端側つまり上端側に回動軸８３Ｒと平行に設けられた回動軸９６Ｒと、この回動軸９６Ｒに固定される蹴出ローラ（第２の蹴出ローラ）９７Ｒおよびプーリ９８Ｒとを有している。そして、プーリ９８Ｒには、上記したプーリ８７Ｒとの間にベルト９９Ｒが掛けられており、よって、常に蹴出ローラ９７Ｒは搬送ローラ８４Ｒと同方向に回転する。
【００７２】
支持アーム９５Ｒには、回動軸８３Ｒよりも蹴出ローラ９７Ｒ側に回動軸８３Ｒと平行な支持軸１０１Ｒが装置前後方向の前部に偏って設けられており、この支持軸１０１Ｒには回動軸８３Ｒに固定されたギア８５Ｒに噛み合うギア１０２Ｒと圧接ローラ（駆動伝達部材）１０３Ｒとが固定されている。よって、圧接ローラ１０３Ｒは常に蹴出ローラ９７Ｒおよび搬送ローラ８４Ｒと逆方向に回転する。さらに、支持アーム９５Ｒには、装置前後方向の前部の支持軸１０１Ｒとは反対側、すなわち、蹴出ローラ９７Ｒ側に寄った位置に、支持軸１０１Ｒと平行にリンク軸１０４Ｒが取り付けられている。
【００７３】
繰出機構部８１Ｆの搬送ローラ８４Ｆおよび引抜ローラ８８Ｆの下方には、図１１に示すように、これらから繰り出される紙幣Ｓを案内する搬送路１０７Ｆが設けられており、繰出機構部８１Ｒの搬送ローラ８４Ｒおよび引抜ローラ８８Ｒの下方には、これらから繰り出される紙幣Ｓを案内する搬送路１０７Ｒが設けられていて、これらの搬送路１０７Ｆ，１０７Ｒは合流して合流搬送路１０８となっている。
【００７４】
図１０に示すように、繰出機構部８１Ｆの回動軸８３Ｆのギア８６Ｆと繰出機構部８１Ｒの回動軸８３Ｒのギア８６Ｒとは同歯数で互いに噛み合っており、これら回動軸８３Ｆ，８３Ｒの間の下方には、これらと平行に回動軸１１０が設けられている。この回動軸１１０には、ギア８６Ｒと噛み合うギア１１１と搬送ローラ１１２とが固定されており、この搬送ローラ１１２の装置前後方向前側には、回動軸１１０と平行に支持軸１１３が設けられている。この支持軸１１３には搬送ローラ１１２に連れ回りする従動ローラ１１６と図１１に示す示す羽根車１１７とが設けられている。なお、搬送ローラ１１２と従動ローラ１１６および羽根車１１７との間に合流搬送路１０８が設けられている。
【００７５】
図１０に示すように、ギア１１１には、電動の出金モータ（駆動源）１２０の駆動軸に固定されたギア１２１が噛み合っており、よって、出金モータ１２０が駆動されるとギア１１１が一方向に回転しギア８６Ｒが逆方向に回転するとともにギア８６Ｆがギア８６Ｒと逆方向に回転することになり、搬送ローラ１１２は従動ローラ１１６側が下方向に移動するように回転することになり、搬送ローラ８４Ｆは引抜ローラ８８Ｆ側が下方向に移動するように、搬送ローラ８４Ｒも引抜ローラ８８Ｒ側が下方向に移動するように回転することになる。さらに、このとき圧接ローラ１０３Ｆは搬送ローラ８４Ｆとは逆方向に回転することになり、圧接ローラ１０３Ｒも搬送ローラ８４Ｒとは逆方向に回転することになる。
【００７６】
分離繰出部８０は、上下方向に軸線を配置して設けられる電動のリンクモータ１２５と、このリンクモータ１２５の駆動軸に固定される図示略のベベルギアと、このベベルギアに噛み合う図示略のベベルギアと、このベベルギアが固定されるとともに上記した回動軸８３Ｆ，８３Ｒ間の中央位置に配置される装置左右方向に沿うリンク軸１２８と、このリンク軸１２８に固定されるとともにこのリンク軸１２８を中心とした略扇状をなして上方に延出するリンクプレート１２９とを有している。リンクプレート１２９には、中間部に、リンク軸１２８の軸線方向に沿って貫通する略矩形状のリンク孔１３０が形成されており、リンク軸１２８とは反対側の端部に、リンク軸１２８の軸線方向に沿って立ち上がる複数具体的には三カ所のセンサ検出片部１３１〜１３３がリンク軸１２８を中心として等角度間隔で形成されている。
【００７７】
そして、リンクプレート１２９のリンク孔１３０に、上記した支持アーム９５Ｆ，９５Ｒのリンク軸１０４Ｆ，１０４Ｒが挿入されている。なお、支持アーム９５Ｆ，９５Ｒ同士はこれらの間に介装された図示略の圧縮バネによって相反方向に付勢されている。これにより、リンクプレート１２９がリンク軸１２８を中心に回動すると、リンクプレート１２９のリンク孔１３０が移動することになり、このリンク孔１３０に挿入された支持アーム９５Ｆ，９５Ｒのリンク軸１０４Ｆ，１０４Ｒもこのリンク孔１３０内とともに移動することになって、支持アーム９５Ｆ，９５Ｒがリンクプレート１２９と同方向に回動することになる。このとき、リンク軸１０４Ｆ，１０４Ｒはリンク孔１３０の範囲で移動可能となっている。
【００７８】
分離繰出部８０は、図１２に示すように、リンクプレート１２９のセンサ検出片部１３１〜１３３の適宜のもので遮光されることによって、リンクプレート１２９の回動位置を検出する二つの光学式のリンクセンサ１３７Ｆ，１３７Ｒが設けられている。これらリンクセンサ１３７Ｆ，１３７Ｒは、図１２に示すように、リンクプレート１２９がリンク軸１２８から上方に延出する中立位置でリンクセンサ１３７Ｆがセンサ検出片部１３１で、リンクセンサ１３７Ｒがセンサ検出片部１３３でそれぞれ遮光される位置に配置されている。
【００７９】
そして、このリンクプレート１２９が中立位置にある状態つまりリンクセンサ１３７Ｆ，１３７Ｒがともに遮光された状態から、装置前後方向前側のリンクセンサ１３７Ｆが一旦通光を検出した後にセンサ検出片部１３２で遮光され、かつ装置前後方向後側のリンクセンサ１３７Ｒが遮光されない通光状態になると、図１３に破線で示すようにリンクプレート１２９が装置前後方向前側の蹴出位置に傾動したことを検出することになる。
【００８０】
他方、リンクプレート１２９が中立位置にある状態から、装置前後方向後側のリンクセンサ１３７Ｒが一旦通光を検出した後にセンサ検出片部１３２で遮光され、かつ装置前後方向前側のセンサ１３７Ｆが遮光されない状態になると、図１４に破線で示すようにリンクプレート１２９が装置前後方向後側の蹴出位置に傾動したことを検出することになる。
【００８１】
なお、図１５に示すように、リンクモータ１２５を正方向に駆動してリンクプレート１２９を装置前後方向前側の蹴出位置に傾動させると、リンクプレート１２９のリンク孔１３０も装置前後方向前側に移動することになり、このリンク孔１３０にリンク軸１０４Ｆ，１０４Ｒが挿入された支持アーム９５Ｆ，９５Ｒが蹴出ローラ９７Ｆ，９７Ｒを装置前後方向前側に移動させるように回動する。これにより、装置前後方向前側の蹴出ローラ９７Ｆが、装置前後方向前側の収納部２４Ｆ側に移動して、図示略の圧縮バネの付勢力で、この収納部２４Ｆに収納されている最前面の紙幣Ｓに接触しこれを蹴出可能になる。このとき、装置前後方向後側の蹴出ローラ９７Ｒも、装置前後方向前側の収納部２４Ｆ側に移動するものの紙幣Ｓの繰り出しには無関係である。なお、蹴出ローラ９７Ｆの回転駆動はリンクプレート１２９の揺動前に開始される。
【００８２】
逆に、リンクモータ１２５を逆方向に駆動してリンクプレート１２９を装置前後方向後側の蹴出位置に傾動させると、リンクプレート１２９のリンク孔１３０も装置前後方向後側に移動することになり、このリンク孔１３０にリンク軸１０４Ｆ，１０４Ｒが挿入された支持アーム９５Ｆ，９５Ｒが蹴出ローラ９７Ｆ，９７Ｒを装置前後方向後側に移動させるように回動する。これにより、装置前後方向後側の蹴出ローラ９７Ｒが、装置前後方向後側の収納部２４Ｒ側に移動して、図示略の圧縮バネの付勢力で、この収納部２４Ｒに収納されている最前面の紙幣Ｓに接触しこれを蹴出可能になる。このときも、装置前後方向前側の蹴出ローラ９７Ｆが、装置前後方向後側の収納部２４Ｒ側に移動するものの紙幣Ｓの繰り出しには無関係である。以上により、リンクモータ１２５、図示略の二つのベベルギア、リンク軸１２８およびリンクプレート１２９が、蹴出ローラ９７Ｆ，９７Ｒを移動させる移動部１４０を構成している。
【００８３】
また、移動部１４０で、支持アーム９５Ｆ，９５Ｒを装置前後方向前側に回動させ、装置前後方向前側の蹴出ローラ９７Ｆを同前側の収納部２４Ｆ側に移動させると、図１５に示すように、同前側の支持アーム９５Ｆの圧接ローラ１０３Ｆが同前側の繰出ローラ９１Ｆに圧接してこれを駆動可能となる。同様に、移動部１４０で、支持アーム９５Ｒを装置前後方向後側に回動させ、装置前後方向後側の蹴出ローラ９７Ｒを同後側の収納部２４Ｒ側に移動させると、同後側の支持アーム９５Ｒの圧接ローラ１０３Ｒが同後側の繰出ローラ９１Ｒに圧接してこれを駆動可能となる。
【００８４】
このような分離繰出部８０は、収納部２４Ｆ，２４Ｒに紙幣Ｓが収納される際には、リンクプレート１２９が中立位置にある。この状態で、蹴出ローラ９７Ｆ，９７Ｒは図示略の圧縮バネの付勢力でリンク孔１３０の両側に押し付けられて安定しており、蹴出ローラ９７Ｆが収納部２４Ｆの紙幣Ｓから離間しかつ一時貯留部２３Ｆへの紙幣Ｓにも干渉せず、蹴出ローラ９７Ｒも収納部２４Ｒの紙幣Ｓから離間しかつ一時貯留部２３Ｒへの紙幣Ｓにも干渉しない状態にあって、圧接ローラ１０３Ｆも繰出ローラ９１Ｆから離間し、圧接ローラ１０３Ｒも繰出ローラ９１Ｒから離間した状態にある。
【００８５】
この状態から、装置前後方向前側の収納部２４Ｆの紙幣Ｓを繰り出させる場合には、出金モータ１２０を駆動する。すると、出金モータ１２０の駆動力で搬送ローラ１１２が従動ローラ１１６側を、搬送ローラ８４Ｆが引抜ローラ８８Ｆ側を、搬送ローラ８４Ｒが引抜ローラ８８Ｒ側を、すべて下方向に移動させるように回転するとともに、蹴出ローラ９７Ｆが収納部２４Ｆ側を下方向に移動させるように回転し、蹴出ローラ９７Ｒが収納部２４Ｒ側を下方向に移動させるように回転し、さらに圧接ローラ１０３Ｆが搬送ローラ８４Ｆとは逆方向に、圧接ローラ１０３Ｒが搬送ローラ８４Ｒとは逆方向に回転することになる。
【００８６】
次に、リンクモータ１２５を駆動してリンクプレート１２９を装置前後方向前側に傾動させる。すると、リンクプレート１２９が装置前後方向前側の蹴出位置で停止する前に蹴出ローラ９７Ｆが収納部２４Ｆの最も一時貯留部２３Ｆ側の紙幣に接触し、リンクプレート１２９の傾動がさらに進んで蹴出位置で停止する時点では、蹴出ローラ９７Ｆが圧縮バネを縮めることでその摩擦力が増加して所定値以上となるとともに、装置前後方向前側の圧接ローラ１０３Ｆが繰出ローラ９１Ｆに接触してその分離ローラ９２Ｆ側を下方に移動させるように回転させる。
【００８７】
これにより、収納部２４Ｆの最も一時貯留部２３Ｆ側の紙幣Ｓが、蹴出ローラ９７Ｆで下方に蹴り出され、分離ローラ９２Ｆで重送が規制されながら繰出ローラ９１Ｆで一枚だけ下方に繰り出される。すると、この紙幣Ｓが搬送ローラ８４Ｆと引抜ローラ８８Ｆとで搬送路１０７Ｆから合流搬送路１０８に送られ、搬送ローラ１１２と従動ローラ１１６とで合流搬送路１０８をさらに下方に送られて下方の集積出金部１４２に放出される。なお、収納部２４Ｆから繰り出された紙幣Ｓが、搬送ローラ８４Ｆおよび引抜ローラ８８Ｆの直後の図１１に示す搬送路１０７Ｆに配置された重送検出センサ１４１Ｆで検出されると、リンクモータ１２５でリンクプレート１２９を中立位置に戻すことになるが、このタイミングは、分離ローラ９２Ｆで重送が規制された紙幣Ｓがある場合にこの紙幣Ｓが繰出ローラ９１Ｆおよび分離ローラ９２Ｆで繰り出される前に、圧接ローラ１０３Ｆを搬送ローラ８４Ｆから離間させるタイミングであり、よって、確実に間欠繰り出しを行うことができる。なお、重送検出センサ１４１Ｆは、勿論、紙幣Ｓに重送があった場合にこれを検出する。
【００８８】
逆に、装置前後方向後側の収納部２４Ｒから紙幣Ｓを繰り出させる場合には、出金モータ１２０を上記と同様に駆動するとともに、リンクモータ１２５を上記とは逆方向に駆動してリンクプレート１２９を装置前後方向後側に傾動させる。すると、出金モータ１２０の駆動力で、上記と同様に、搬送ローラ１１２が従動ローラ１１６側を、搬送ローラ８４Ｒが引抜ローラ８８Ｒ側を、蹴出ローラ９７Ｒが収納部２４Ｒ側をすべて下方向に移動させるように回転し、さらに圧接ローラ１０３Ｒが搬送ローラ８４Ｒとは逆方向に回転することになる。そして、蹴出ローラ９７Ｒを収納部２４Ｒの最も一時貯留部２３Ｒ側の紙幣Ｓに接触させる蹴出位置までリンクプレート１２９が傾動して停止すると、装置前後方向後側の圧接ローラ１０３Ｒが繰出ローラ９１Ｒに接触してその分離ローラ９２Ｒ側を下方に移動させるように回転させる。
【００８９】
これにより、収納部２４Ｒの最も一時貯留部２３Ｒ側の紙幣Ｓが、蹴出ローラ９７Ｒで下方に蹴り出され、分離ローラ９２Ｒで重送が規制されながら繰出ローラ９１Ｒで一枚だけ下方に繰り出される。すると、この紙幣Ｓが搬送ローラ８４Ｒと引抜ローラ８８Ｒとで搬送路１０７Ｒから合流搬送路１０８に送られ、搬送ローラ１１２と従動ローラ１１６とで合流搬送路１０８をさらに下方に送られて下方の集積出金部１４２に放出される。なお、この場合も、収納部２４Ｒから繰り出された紙幣Ｓが、搬送ローラ８４Ｒおよび引抜ローラ８８Ｒの直後の図１１に示す搬送路１０７Ｒに配置された重送検出センサ１４１Ｒで検出されると、リンクモータ１２５でリンクプレート１２９を中立位置に戻す。なお、重送検出センサ１４１Ｒも、勿論、紙幣Ｓに重送があった場合にこれを検出する。
【００９０】
以上から、分離繰出部８０は、蹴出ローラ９７Ｆと蹴出ローラ９７Ｒとを一つの出金モータ１２０で駆動して回転させるとともに、繰出ローラ９１Ｆに圧接してこれを回転させる圧接ローラ１０３Ｆと、繰出ローラ９１Ｒに圧接してこれを回転させる圧接ローラ１０３Ｒとについても、同じ一つの出金モータ１２０で駆動して回転させることになり、さらには、蹴出ローラ９７Ｆで蹴り出され繰出ローラ９１Ｆで繰り出された紙幣Ｓを搬送する搬送ローラ８４Ｆと、蹴出ローラ９７Ｒで蹴り出され繰出ローラ９１Ｒで繰り出された紙幣Ｓを搬送する搬送ローラ８４Ｒとについても、同じ一つの出金モータ１２０で駆動して回転させることになる。加えて、搬送ローラ８４Ｆおよび搬送ローラ８４Ｒよりも下流側の搬送ローラ１１２についても同じ一つの出金モータ１２０で駆動して回転させることになる。
【００９１】
次に、上記した分離繰出部８０により収納部２４Ｆ，２４Ｒから一枚ずつ分離して繰り出され合流搬送路１０８から放出される複数枚紙幣を受け入れて一括して出金する集積出金部１４２について説明する。
【００９２】
集積出金部１４２は、図１６に示すように、合流搬送路１０８の末端位置に設けられ、合流搬送路１０８で搬送される紙幣Ｓを厚さ方向を横にした状態、具体的には厚さ方向を装置前後方向にした状態で下方に放出させる上部の放出口１４４を有しており、この放出口１４４に上記した搬送ローラ１１２、従動ローラ１１６および羽根車１１７が設けられている。また、放出口１４４には通過する紙幣Ｓを検出する光学式の放出センサ１４５が設けられている。
【００９３】
また、集積出金部１４２は、放出口１４４よりも装置前後方向前側の上部に、装置前面１１ａに斜め上方に向けて開口する出金口１４６を有しており、放出口１４４の下方位置と出金口１４６とを結ぶように装置前後方向に前上がりに形成された前壁部１４７に沿ってスライド可能な作動部材１４８とこの作動部材１４８をスライドさせるスライド機構１４９とを有している。出金口１４６には出金口１４６における紙幣Ｓの有無を検出する光学式の抜取センサ１５０が設けられている。
【００９４】
作動部材１４８は、図示略のスライドレールによって放出口１４４の下方位置と出金口１４６とを結ぶように装置前後方向における前上がりにスライド可能に支持されており、作動部材１４８にはこのスライド方向と平行にラックギア１５１が取り付けられている。これに対して、スライド機構１４９は、このラックギア１５１の装置前後方向前側にあってラックギア１５１に噛み合うピニオンギア１５２と、このピニオンギア１５２を駆動する一つの電動のリフトモータ（駆動源）１５３とを有している。これにより、リフトモータ１５３の正逆回転の駆動力で作動部材１４８が図示略のスライドレールに沿って下限位置から出金口１４６に向けて上限位置まで移動し、また出金口１４６から離れる方向にも移動する。
【００９５】
集積出金部１４２は、作動部材１４８の装置前後方向後側において作動部材１４８と平行にスライド可能となるように図示略のスライドレールに支持されるとともに、下限位置に位置する状態で、放出口１４４から放出された紙幣の下端部を下方で受け入れる集積ポケット部材１５５が設けられている。この集積ポケット部材１５５は、作動部材１４８と平行に広がる前板部１５６と、この前板部１５６の装置左右方向の両側縁部から装置前後方向後側に延出する一対の側板部１５７（一方のみ図示）と、前板部１５６の下端縁部から前板部１５６よりも短い長さで放出口１４４の方向に立ち上がる後板部１５８とを有しており、後板部１５８は両側板部１５７の下部の装置前後方向後側の縁部にも連結されている。これにより、集積ポケット部材１５５の下部には、前板部１５６および両側板部１５７の下部と後板部１５８とで下方に凹状をなすポケット部１５９が形成されている。なお、ポケット部１５９は複数の紙幣Ｓの下端部を同時に受けることができるようになっており、この状態で集積ポケット部材１５５は、紙幣Ｓを前上がりに傾斜する前板部１５６上に集積させることができる。集積出金部１４２には、ポケット部１５９への紙幣Ｓの受け入れを検出する光学式の紙幣受入センサ１６０が設けられている。
【００９６】
この集積ポケット部材１５５は、作動部材１４８がそのスライド範囲のうちの下部所定範囲にあるときには、作動部材１４８に当接せずに自重またはバネの付勢力で下端位置にあり、作動部材１４８は、この下部所定範囲よりも上側の上部所定範囲にあるときには、作動部材１４８が集積ポケット部材１５５に当接し係合してこれを一体にスライドさせることになる。
【００９７】
集積出金部１４２は、下限位置にある集積ポケット部材１５５の装置前後方向後側に、装置左右方向に沿って支持軸１６２が両壁板部２８ａ，２８ｂ（図１６では壁板部２８ａのみ図示）に回動自在に支持されており、支持軸１６２にはこの支持軸１６２を中心に回動可能な押さえ部材１６３が支持軸１６２における壁板部２８ａ，２８ｂ間の中央位置から装置前後方向において前上がりに延出している。この押さえ部材１６３は略棒状をなしており、支持軸１６２に固定され、その延出先端側に装置左右方向に沿う軸を中心に回転自在な押さえローラ１６５が設けられている。
【００９８】
集積出金部１４２は、装置左右方向の両壁板部２８ａ，２８ｂの内側に一対の支持板部１６７（一方のみ図示）を有する案内部材１６８が設けられており、案内部材１６８の各支持板部１６７の相互近接側における装置前後方向前側には、合成樹脂製の一対のシート部材１６９が取り付けられている。これらシート部材１６９は、いずれも装置前後方向において前上がりに傾斜している。これらシート部材１６９は、互いの間隔が紙幣Ｓの短辺長さよりも短くなっており、シート部材１６９よりも放出口１４４側に放出された紙幣Ｓの出金口１４６側への移動を規制する。これらシート部材１６９は、その放出口１４４側に出金紙幣の一時貯留空間１７０を形成し、その出金口１４６側に出金集積空間１７１を形成している。
【００９９】
図１６に示す状態の押さえ部材１６３は、厚さ方向を装置前後方向にした状態で放出口１４４から下方に放出させられる紙幣Ｓの装置前後方向後側となる後端位置に位置して、その装置前後方向前側に位置するシート部材１６９との間の一時貯留空間１７０に紙幣Ｓを案内し、この紙幣Ｓの下端部を集積ポケット部材１５５のポケット部１５９に挿入させる受入状態と、この受入状態からシート部材１６９を越えて装置前後方向前方つまり出金口１４６側に位置するように支持軸１６２を中心に回動して、集積ポケット部材１５５のポケット部１５９に受けられた紙幣Ｓを押圧し、これをシート部材１６９を乗り越えさせて前壁部１４７および集積ポケット部材１５５の前板部１５６側に位置させるものである。
【０１００】
押さえ部材１６３には、その支持軸１６２の一端側に固定されたリンク板１７２の装置前後方向後側と壁板部２８ａとの間に、押さえ部材１６３を装置前後方向前側つまり出金口１４６側に付勢する引張バネ（付勢部材）１７３が介装されており、またリンク板１７２の下部には、装置左右方向に沿う軸線を中心に回動するカムローラ１７４が支持軸１６２の下側かつ装置前後方向後側に設けられている。
【０１０１】
上記した作動部材１４８には、後ろ下がりに傾斜するカム部１７６が一体に形成されており、このカム部１７６は、作動部材１４８が上記した下部所定範囲にあるときにカムローラ１７４に上側から接触する。作動部材１４８は、下部所定範囲の上側にあるときにカム部１７６でカムローラ１７４に当接し、さらに下側に下がると、引張バネ１７３の付勢力に抗して、カム部１７６でカムローラ１７４を装置前後方向前側に移動させて、図１６に示すように押さえ部材１６３を支持軸１６２を中心に装置前後方向後側に回動させる。つまり、作動部材１４８に設けられたカム部１７６が出金口１４６とは反対側に移動すると押さえ部材１６３のカムローラ１７４に接触して押さえ部材１６３を引張バネ１７３の付勢力に抗して装置前後方向後側（出金口１４６とは反対側）に移動させる。なお、作動部材１４８が下限位置に位置すると押さえ部材１６３が上記した後端位置に位置する。また、この状態から作動部材１４８が上昇すると、図１７に示すようにカム部１７６が引張バネ１７３の付勢力でカムローラ１７４を装置前後方向後側に移動させて押さえ部材１６３を支持軸１６２を中心に装置前後方向前側に回動させる。
【０１０２】
なお、作動部材１４８は、上昇して下部所定範囲から上部所定範囲に至ると、そのカム部１７６をカムローラ１７４から離間させることになる。つまり、作動部材１４８は、出金口１４６に向けて上昇して押さえ部材１６３を集積ポケット部材１５５の前板部１５６側に回動させた後に、集積ポケット部材１５５に当接して、図１１に示すように集積ポケット部材１５５を上方の出金口１４６に向けて上昇させることになる。これにより、作動部材１４８を駆動する一つのリフトモータ１５３で集積ポケット部材１５５と押さえ部材１６３とが駆動される。
【０１０３】
ここで、紙幣処理装置１１が設けられた自動販売機や両替機の後部あるいは側部の扉が図示略のキーの操作で開放されることで、押さえ部材１６３は、手動操作により、図１に示すように、上記した後端位置よりもさらに装置前後方向後側に案内部材１６８とともに回動させられることになり、集積出金部１４２のメンテナンス等が可能になっている。
【０１０４】
なお、図１６に示すように作動部材１４８の装置前後方向前側には、作動部材１４８のスライド方向に間隔をあけて複数の光学式の下部センサ１７７、中間センサ１７８および上部センサ１７９が設けられており、これらのうち一番下側の下部センサ１７７は、作動部材１４８が下限位置に位置するときに作動部材１４８の検出片部１８０を検出するものであり、中間センサ１７８は、作動部材１４８が上記した下部所定範囲の上端位置に位置するときに、図１７に示すように作動部材１４８の検出片部１８０を検出するものであって、上部センサ１７９は作動部材１４８が上限位置に位置するときに作動部材１４８の検出片部１８０を検出するものである。
【０１０５】
図１１に示すように、出金口１４６には、装置前後方向後側に、出金口１４６を開閉可能なシャッタ１８４が設けられている。このシャッタ１８４は、前下がりに傾斜した状態とされ装置前後方向に沿ってスライドすることで出金口１４６を開閉するシャッタ部材１８５と、このシャッタ部材１８５の上側にこのシャッタ部材１８５と平行に設けられてシャッタ部材１８５と平行にプランジャ１８６を進退させるソレノイド（駆動源）１８７と、このソレノイド１８７の上側の装置左右方向に沿う支持軸１８９に回動可能に支持されるとともに途中位置に形成された長穴１９０をソレノイド１８７のプランジャ１８６に設けられた装置左右方向に沿うピン１９１に係合させるとともに先端位置に装置左右方向に沿って設けられたピン１９２をシャッタ部材１８５の上面側の凹形状の係合部１９３に係合させるリンクアーム１９５とを有している。なお、ソレノイド１８７は、駆動されると出金口１４６を開放する方向に電磁力でプランジャ１８６を移動させ、駆動停止されると図示略のスプリングの付勢力でプランジャ１８６を逆方向に移動させる。
【０１０６】
これにより、シャッタ１８４は、ソレノイド１８７の駆動が制御されてプランジャ１８６が進退させられることで、プランジャ１８６のピン１９１がリンクアーム１９５を長穴１９０において押し引きして支持軸１８９を中心に回動させて、リンクアーム１９５の先端のピン１９２に係合するシャッタ部材１８５をスライドさせて出金口１４６を開閉する。
【０１０７】
出金口１４６の下部の装置前後方向後側には、装置左右方向に沿う回動軸１９８を介してガイド部材１９９が回動可能に設けられている。このガイド部材１９９は、回動軸１９８から互いに直交する方向に延出するガイド板部２００および作動アーム部２０１を有しており、ガイド板部２００が出金口１４６からシャッタ部材１８５と平行に装置前後方向後側に延出する状態で作動アーム部２０１がシャッタ部材１８５と略直交する状態となる。上記したシャッタ部材１８５の係合部１９３の装置前後方向前側には、装置左右方向に沿うピン２０２が設けられており、このピン２０２に作動アーム部２０１の中間の長穴２０３が係合されている。
【０１０８】
そして、シャッタ部材１８５が出金口１４６を閉じた状態では、ガイド部材１９９は上記したようにガイド板部２００が出金口１４６からシャッタ部材１８５と平行に装置前後方向後側に延出する状態となり、図１１に二点鎖線で示すようにソレノイド１８７で駆動されてシャッタ部材１８５が出金口１４６を開く方向にスライドするとピン２０２で長穴２０３が引っ張られることで回動軸１９８を中心にガイド板部２００が出金口１４６から集積ポケット部材１５５側に下側ほどシャッタ１８４の開側に位置するように斜めに突出する状態となる。つまり、ガイド部材１９９は、シャッタ１８４の開作動に連動して出金口１４６から集積ポケット部材１５５側に斜めに突出する。
【０１０９】
このような集積出金部１４２では、図１６に示すように、作動部材１４８を下限位置に位置させた状態で、上記した分離繰出部８０で収納部２４Ｆ，２４Ｒから選択的に繰り出された一枚目の紙幣Ｓが放出口１４４から放出されると、この紙幣Ｓは、後端位置にある押さえ部材１６３とシート部材１６９との間に案内されてその下端部が下限位置にある集積ポケット部材１５５のポケット部１５９に挿入される。なお、釣銭あるいは両替銭を出金させる場合には、例えば、小額紙幣である千円券紙幣を収納する収納部２４Ｒから一枚ずつ紙幣Ｓが集積出金部１４２に送り込まれることになり、例えば、その他の金種の紙幣Ｓを回収する場合には、収納部２４Ｆから一枚ずつ紙幣Ｓが集積出金部１４２に送り込まれることになる。
【０１１０】
放出センサ１４５が上記した紙幣Ｓの放出口１４４からの放出を検出すると、図示略の制御部がリフトモータ１５３を駆動してピニオンギア１５２およびラックギア１５１を介して作動部材１４８をその検出片部１８０が中間センサ１７８で検出されるまで駆動する。すると、図１７に示すように、下限位置にあった作動部材１４８が下部所定範囲の上端位置まで上昇することになり、その結果、カム部１７６が引張バネ１７３の付勢力でカムローラ１７４を装置前後方向後側に移動させて押さえ部材１６３を支持軸１６２を中心に装置前後方向前側に回動させる。すると、押さえ部材１６３がこれとシート部材１６９との間にあった紙幣Ｓを押圧して、この紙幣Ｓをシート部材１６９を乗り越えさせ、さらに前壁部１４７および集積ポケット部材１５５の前板部１５６に押さえローラ１６５で当接させる。
【０１１１】
上記のように、作動部材１４８の検出片部１８０が中間センサ１７８で検出されると、制御部はリフトモータ１５３を逆転させて作動部材１４８が下部センサ１７７で検出されるまで、つまり下限位置に位置するまで駆動する。これにより、図１６に示すように作動部材１４８のカム部１７６が押さえ部材１６３を引張バネ１７３の付勢力に抗して後端位置まで回動させる。
【０１１２】
このように、紙幣Ｓを放出口１４４から押さえ部材１６３およびシート部材１６９の間の一時貯留空間１７０へ挿入してその下端部をポケット部１５９に挿入した後、押さえ部材１６３で集積ポケット部材１５５の前板部１５６側の出金集積空間１７１に押し込むという作動を、放出口１４４から放出される紙幣Ｓの一枚一枚に対して行う。これにより、出金させる複数の紙幣Ｓを装置前後方向に前上がりの姿勢で前後方向に重ねて集積させる。
【０１１３】
そして、出金に必要な紙幣Ｓのうち最後の紙幣Ｓが放出口１４４から放出されると、制御部は作動部材１４８をその検出片部１８０が最も上側の上部センサ１７９で検出されるまで駆動する。すると、下限位置にあった作動部材１４８が下部所定範囲の上端位置まで上昇する間に、押さえ部材１６３が支持軸１８９を中心に装置前後方向前側に回動して紙幣Ｓをシート部材１６９を乗り越えさせて集積ポケット部材１５５の前板部１５６側の紙幣Ｓに当接させて、その紙幣Ｓを押さえローラ１６５で押さえることになる。なお、上記の途中、例えば中間センサ１７８で作動部材１４８が下部所定範囲の上端位置まで上昇したことが検出されると、制御部は、ソレノイド１８７を駆動してシャッタ部材１８５を装置前後方向後方にスライドさせて出金口１４６を開放するとともにガイド部材１９９のガイド板部２００を下方に突出させる。
【０１１４】
また、上記のように上昇中にある作動部材１４８は、下部所定範囲から上部所定範囲に至ると、集積ポケット部材１５５に当接して集積ポケット部材１５５を出金口１４６に向けて上昇させる。すると、集積ポケット部材１５５に集積されていた紙幣Ｓが押さえ部材１６３で押さえられた状態のまま押さえローラ１６５を回動させながら集積ポケット部材１５５とともに上昇し、上端側がガイド部材１９９のガイド板部２００で出金口１４６側に良好に案内されて、図１１に示すように出金口１４６から突出する。なお、上部センサ１７９で作動部材１４８が検出されると紙幣Ｓが出金口１４６から一部突出する状態となり、この状態で制御部はリフトモータ１５３を停止させる。また、制御部は上部センサ１７９で作動部材１４８の検出片部１８０が検出されると、ソレノイド１８７の駆動を停止してシャッタ部材１８５を図示略のスプリングの付勢力で閉方向に移動させることになり、これにより、出金口１４６から突出する紙幣Ｓは出金口１４６とシャッタ部材１８５とで挟持される。この状態で、使用者が紙幣Ｓを出金口１４６から抜き取る。
【０１１５】
制御部は、出金口１４６から突出する紙幣Ｓがすべて抜き取られたことを抜取センサ１５０で検出すると、作動部材１４８をその検出片部１８０が下部センサ１７７で検出されるまで下降させる。すると、作動部材１４８は集積ポケット部材１５５を下限位置まで下降させた後に、カム部１７６で押さえ部材１６３を後端位置まで回動させて停止する。
【０１１６】
以上に述べた本実施形態の紙幣処理装置によれば、収納部２４Ｆ，２４Ｒから分離繰出部８０で繰り出された紙幣Ｓが厚さ方向を横にした状態で放出口１４４から集積出金部１４２に放出されると、集積ポケット部材１５５がこの放出された紙幣Ｓの下端部を下方で受け入れる。そして、リフトモータ１５３が押さえ部材１６３を動作させて集積ポケット部材１５５に受けられた紙幣を出金口１４６側に押圧する。以上を繰り返すことで複数枚の紙幣Ｓが集積ポケット部材１５５に受け入れられ、しかも出金口１４６側に寄せられた状態となる。この状態から、集積ポケット部材１５５をリフトモータ１５３が上方の出金口１４６に向けて移動させると、集積ポケット部材１５５に集積された紙幣Ｓが出金口１４６から払出可能に突出する。ここで、集積ポケット部材１５５と押さえ部材１６３とを一つのリフトモータ１５３で駆動するため、コストを低減できる。また、放出口１４４から厚さ方向を横方向にして紙幣Ｓを放出させ、この紙幣Ｓの下端部を集積ポケット部材１５５で受け入れ、これを上方の出金口１４６に移動させるレイアウトであるため、水平方向に小型化可能となる。したがって、複数の紙幣Ｓを一括して出金させることができ、その上で、コスト低減および水平方向の小型化が図れる。
【０１１７】
収納部２４Ｆ，２４Ｒから分離繰出部８０で繰り出された紙幣Ｓが厚さ方向を横にした状態で放出口１４４から集積出金部１４２に放出されると、集積ポケット部材１５５がこの放出された紙幣Ｓの下端部を下方で受け入れる。そして、リフトモータ１５３が作動部材１４８を出金口１４６に向けて移動させると、カム部１７６が押さえ部材１６３から離間して、押さえ部材１６３が引張バネ１７３の付勢力で集積ポケット部材１５５に受けられた紙幣Ｓを出金口１４６側に押圧する。次に、リフトモータ１５３が作動部材１４８を出金口１４６とは反対側に移動させると、カム部１７６が押さえ部材１６３に接触して押さえ部材１６３を引張バネ１７３の付勢力に抗して移動させる。以上を繰り返すことで複数枚の紙幣Ｓが集積ポケット部材１５５に受け入れられ、しかも出金口１４６側に寄せられた状態となる。この状態から、作動部材１４８を出金口１４６に向けて移動させると、カム部１７６が押さえ部材１６３から離間して、押さえ部材１６３が引張バネ１７３の付勢力で集積ポケット部材１５５に受けられた紙幣Ｓを出金口１４６側に押圧するとともに、カム部１７６の押さえ部材１６３からの離間後、作動部材１４８は、集積ポケット部材１５５に当接してこの集積ポケット部材１５５を出金口１４６に向けて移動させて、集積ポケット部材１５５に集積された紙幣を出金口１４６から払出可能に突出させる。したがって、構成を簡素にでき、コストをさらに低減することができる。
【０１１８】
出金の際に出金口１４６のシャッタ１８４を開作動させると、これに連動してガイド部材１９９が出金口１４６から集積ポケット部材１５５側に斜めに突出して、集積ポケット部材１５５に集積された紙幣Ｓの上部を出金口１４６に案内する。したがって、集積ポケット部材１５５に集積された紙幣Ｓを出金口１４６から良好に突出させることができる。しかも、シャッタ１８４の開作動に連動してガイド部材１９９を突出させることができるため、これらを駆動するソレノイド１８７を共用でき、コスト増を抑えることができる。
【図面の簡単な説明】
【０１１９】
【図１】本発明の一実施形態の紙幣処理装置を示す透過側面図である。
【図２】本発明の一実施形態の紙幣処理装置における一時貯留部、収納部および収納プッシャ機構等を示す平面図である。
【図３】本発明の一実施形態の紙幣処理装置における一時貯留部、収納部および収納プッシャ機構等を示す透過側面図である。
【図４】本発明の一実施形態の紙幣処理装置における収納プッシャ機構の後退状態を示す側面図である。
【図５】本発明の一実施形態の紙幣処理装置における収納プッシャ機構の作動時の図４の後の状態を示す側面図である。
【図６】本発明の一実施形態の紙幣処理装置における収納プッシャ機構の作動時の図５の後の状態を示す側面図である。
【図７】本発明の一実施形態の紙幣処理装置における収納プッシャ機構の作動時の図６の後の状態を示す側面図である。
【図８】本発明の一実施形態の紙幣処理装置における一時貯留部、収納部および収納プッシャ機構等を示す平面図であって紙幣の関係を示すものである。
【図９】本発明の一実施形態の紙幣処理装置における一時貯留部、収納部および収納プッシャ機構等を示す透過側面図であって紙幣の関係を示すものである。
【図１０】本発明の一実施形態の紙幣処理装置における収納部および分離繰出部等を示す透過側面図であって、リンクプレートが中立位置にある状態を示すものである。
【図１１】本発明の一実施形態の紙幣処理装置における分離繰出部および集積出金部等を示す透過側面図である。
【図１２】本発明の一実施形態の紙幣処理装置における収納部および分離繰出部等を示す透過側面図であって、リンクプレートが中立位置にあるときのリンクセンサの検出状態を示すものである。
【図１３】本発明の一実施形態の紙幣処理装置における収納部および分離繰出部等を示す透過側面図であって、リンクプレートが装置前後方向前側の蹴出位置にあるときのリンクセンサの検出状態を破線で示すものである。
【図１４】本発明の一実施形態の紙幣処理装置における収納部および分離繰出部等を示す透過側面図であって、リンクプレートが装置前後方向後側の蹴出位置にあるときのリンクセンサの検出状態を破線で示すものである。
【図１５】本発明の一実施形態の紙幣処理装置における収納部および分離繰出部等を示す透過側面図であって、リンクプレートが装置前後方向前側の蹴出位置にある状態を示すものである。
【図１６】本発明の一実施形態の紙幣処理装置における集積出金部等を示す透過側面図であって、作動部材が下限位置にある状態を示すものである。
【図１７】本発明の一実施形態の紙幣処理装置における集積出金部等を示す透過側面図であって、作動部材が中間位置にある状態を示すものである。
【符号の説明】
【０１２０】
１１  紙幣処理装置
２４Ｆ，２４Ｒ  収納部
８０  分離繰出部
１４２  集積出金部
１４４  放出口
１４８  作動部材
１５３  リフトモータ（駆動源）
１５５  集積ポケット部材
１６３  押さえ部材
１７３  引張バネ（付勢部材）
１７６  カム部
１８４  シャッタ
１９９  ガイド部材
Ｓ  紙幣
【図１】
0004684760.tif 000002
【図２】
0004684760.tif 000003
【図３】
0004684760.tif 000004
【図４】
0004684760.tif 000005
【図５】
0004684760.tif 000006
【図６】
0004684760.tif 000007
【図７】
0004684760.tif 000008
【図８】
0004684760.tif 000009
【図９】
0004684760.tif 000010
【図１０】
0004684760.tif 000011
【図１１】
0004684760.tif 000012
【図１２】
0004684760.tif 000013
【図１３】
0004684760.tif 000014
【図１４】
0004684760.tif 000015
【図１５】
0004684760.tif 000016
【図１６】
0004684760.tif 000017
【図１７】
0004684760.tif 000018